【手続補正書】
【提出日】令和3年4月1日(2021.4.1)
【手続補正１】
【補正対象書類名】特許請求の範囲
【補正対象項目名】全文
【補正方法】変更
【補正の内容】
【特許請求の範囲】
【請求項１】
第１の通信方式で通信する第１の通信手段と、
前記第１の通信方式とは異なる第２の通信方式で通信する第２の通信手段と、
外部装置との通信接続に前記第１の通信方式を使用する第１の通信接続と前記第２の通信方式を使用する第２の通信接続とが確立された状態で前記第１の通信方式の通信経路を変更する場合、所定の要求を前記第２の通信接続を介して前記外部装置に送信するよう前記第２の通信手段を制御し、前記第１の通信方式の通信経路が変更された前記外部装置との第３の通信接続を確立するよう制御する制御手段と、
を有する通信装置。
【請求項２】
前記外部装置との通信にＭＰＴＣＰ（Ｍｕｌｔｉｐａｔｈ  ＴＣＰ）が使われ、
前記所定の要求は、ＭＰＴＣＰの通信接続から前記第１の通信接続を除外する除外要求と、ＭＰＴＣＰの通信接続に前記第３の通信接続を追加する追加要求と、を含む請求項１記載の通信装置。
【請求項３】
前記第１の通信接続の通信経路は、前記通信装置と前記外部装置とが直接通信する通信経路であり、
前記第３の通信接続の通信経路は、前記通信装置と前記外部装置とが中継装置を介して通信する通信経路である請求項２記載の通信装置。
【請求項４】
前記中継装置との前記第１の通信方式を使用する通信接続が確立された場合、前記制御手段は、前記追加要求を前記第２の通信接続を介して前記外部装置に送信するよう前記第２の通信手段を制御する請求項３記載の通信装置。
【請求項５】
前記制御手段は、前記中継装置の情報を前記外部装置に送信するよう前記第２の通信手段を制御する請求項３又は４記載の通信装置。
【請求項６】
前記第３の通信接続での通信のために前記中継装置によって前記第１の通信手段に割り当てられたネットワークアドレスが、前記第２の通信手段に割り当てられたネットワークアドレスと一致する場合、前記制御手段は、前記追加要求を前記外部装置に送信しない請求項３乃至５何れか１項記載の通信装置。
【請求項７】
前記第１の通信接続の通信経路は、前記通信装置と前記外部装置とが中継装置を介して通信する通信経路であり、
前記第３の通信接続の通信経路は、前記通信装置と前記外部装置とが直接通信する通信経路である請求項１又は２記載の通信装置。
【請求項８】
前記第１の通信手段の通信経路を変更する場合とは、前記第１の通信接続による前記外部装置との通信ができなくなった場合、所定の操作を受け付けた場合、及び、前記第３の通信接続の確立が可能になった場合の何れかの場合である請求項１乃至７何れか１項記載の通信装置。
【請求項９】
前記通信装置は、スマートフォンである請求項１乃至８何れか１項記載の通信装置。
【請求項１０】
第１の通信方式で通信する第３の通信手段と、
前記第１の通信方式とは異なる第２の通信方式で通信する第４の通信手段と、
外部装置との通信接続に前記第１の通信方式を使用する第１の通信接続と前記第２の通信方式を使用する第２の通信接続とが確立された状態で前記第２の通信接続を介して所定の要求を受信した場合、前記外部装置との通信接続から前記第１の通信接続を除外し、前記所定の要求に含まれる情報に基づいて、前記第１の通信方式の通信経路が変更された前記外部装置との第３の通信接続を確立するよう制御する制御手段と、
を有する通信装置。
【請求項１１】
前記外部装置との通信にＭＰＴＣＰが使われ、
前記所定の要求は、除外要求と追加要求とを含み、
前記制御手段は、前記除外要求を受信した場合、ＭＰＴＣＰの通信接続から前記第１の通信接続を除外し、前記追加要求を受信した場合、前記追加要求に含まれる前記外部装置のネットワークアドレスに基づいて、前記第３の通信接続を確立し、ＭＰＴＣＰの通信接続に前記第３の通信接続を追加するよう制御する請求項１０記載の通信装置。
【請求項１２】
前記第１の通信接続の通信経路は、前記通信装置と前記外部装置とが直接通信する通信経路であり、
前記第３の通信接続の通信経路は、前記通信装置と前記外部装置とが中継装置を介して通信する通信経路である請求項１１記載の通信装置。
【請求項１３】
前記通信装置をアクセスポイントとして動作させてネットワークを形成する形成手段を更に有し、
前記第１の通信接続の通信経路は、前記形成手段によって形成された前記ネットワークで、前記通信装置と前記外部装置とが直接通信する通信経路であり、
前記外部装置から前記除外要求を受信した場合、前記通信装置のアクセスポイントとしての動作を停止させる停止手段を更に有する請求項１２記載の通信装置。
【請求項１４】
前記外部装置から前記中継装置の情報を受信した場合、前記制御手段は、受信した前記中継装置の情報に基づいて、前記第３の通信接続を確立するよう前記第１の通信接続を制御する請求項１２又は１３記載の通信装置。
【請求項１５】
前記第３の通信接続での通信のために前記中継装置によって前記第３の通信手段に割り当てられたネットワークアドレスが、前記第４の通信手段に割り当てられたネットワークアドレスと一致する場合、前記制御手段は、ＭＰＴＣＰの通信接続に前記第３の通信接続を追加しない請求項１２乃至１４何れか１項記載の通信装置。
【請求項１６】
前記第１の通信接続の通信経路は、前記通信装置と前記外部装置とが中継装置を介して通信する通信経路であり、
前記第３の通信接続の通信経路は、前記通信装置と前記外部装置とが直接通信する通信経路である請求項１１記載の通信装置。
【請求項１７】
前記外部装置から前記除外要求を受信した場合、前記通信装置をアクセスポイントとして動作させてネットワークを形成する形成手段を更に有し、
前記第３の通信接続の通信経路は、前記形成手段によって形成されたネットワークで、前記通信装置と前記外部装置とが直接通信する通信経路である請求項１６記載の通信装置。
【請求項１８】
前記外部装置から前記除外要求を受信した場合、前記制御手段は、前記第１の通信接続を切断する請求項１６又は１７記載の通信装置。
【請求項１９】
前記外部装置との通信接続に、前記第１の通信接続、及び、前記第３の通信接続の少なくとも何れかがある場合、アプリケーションを前記第１の通信方式に対応する第１の動作モードにし、前記外部装置との通信接続に、前記第１の通信接続、及び、前記第３の通信接続がなく、前記第２の通信接続がある場合、前記アプリケーションを前記第２の通信方式に対応する第２の動作モードにするアプリケーション制御手段を更に有する請求項１０乃至１８何れか１項記載の通信装置。
【請求項２０】
前記通信装置は、撮像装置である請求項１０乃至１９何れか１項記載の通信装置。
【請求項２１】
前記第１の通信方式は無線ＬＡＮである請求項１乃至２０何れか１項記載の通信装置。
【請求項２２】
前記第２の通信方式はＢｌｕｅｔｏｏｔｈ（登録商標）である請求項１乃至２１何れか１項記載の通信装置。
【請求項２３】
第１の通信装置と、第２の通信装置と、を有する通信システムであって、
前記第１の通信装置は、
第１の通信方式で通信する第１の通信手段と、
前記第１の通信方式とは異なる第２の通信方式で通信する第２の通信手段と、
前記第２の通信装置との通信接続に前記第１の通信方式を使用する第１の通信接続と前記第２の通信方式を使用する第２の通信接続とがある状態で前記第１の通信方式の通信経路を変更する場合、所定の要求を前記第２の通信接続を介して前記第２の通信装置に送信するよう前記第２の通信手段を制御し、前記第１の通信方式の通信経路が変更された前記第２の通信装置との第３の通信接続を確立するよう制御する第１の制御手段と、
を有し、
前記第２の通信装置は、
前記第１の通信方式で通信する第３の通信手段と、
前記第２の通信方式で通信する第４の通信手段と、
前記第１の通信装置との通信接続に前記第１の通信方式を使用する前記第１の通信接続と前記第２の通信方式を使用する前記第２の通信接続とがある状態で前記第２の通信接続を介して前記所定の要求を受信した場合、前記第１の通信装置との通信接続から前記第１の通信接続を除外し、前記所定の要求に含まれる情報に基づいて、前記第３の通信接続を確立するよう制御する第２の制御手段と、
を有する通信システム。
【請求項２４】
第１の通信方式で通信する第１の通信手段と、
前記第１の通信方式とは異なる第２の通信方式で通信する第２の通信手段と、
を有する通信装置の制御方法であって、
外部装置との通信接続に前記第１の通信方式を使用する第１の通信接続と前記第２の通信方式を使用する第２の通信接続とがある状態で前記第１の通信方式の通信経路を変更する場合、所定の要求を前記第２の通信接続を介して前記外部装置に送信するよう前記第２の通信手段を制御し、前記第１の通信方式の通信経路が変更された前記外部装置との第３の通信接続を確立するよう制御する通信装置の制御方法。
【請求項２５】
第１の通信方式で通信する第３の通信手段と、
前記第１の通信方式とは異なる第２の通信方式で通信する第４の通信手段と、
を有する通信装置の制御方法であって、
外部装置との通信接続に前記第１の通信方式を使用する第１の通信接続と前記第２の通信方式を使用する第２の通信接続とがある状態で前記第２の通信接続を介して所定の要求を受信した場合、外部装置との通信接続から前記第１の通信接続を除外し、前記所定の要求に含まれる情報に基づいて、前記第１の通信方式の通信経路を変更した前記外部装置との第３の通信接続を確立するよう制御する通信装置の制御方法。
【請求項２６】
コンピュータを、請求項１乃至２２何れか１項記載の通信装置の各手段として機能させるためのプログラム。
【手続補正２】
【補正対象書類名】明細書
【補正対象項目名】０００５
【補正方法】変更
【補正の内容】
【０００５】
本発明の通信装置は、第１の通信方式で通信する第１の通信手段と、前記第１の通信方式とは異なる第２の通信方式で通信する第２の通信手段と、外部装置との通信接続に前記第１の通信方式を使用する第１の通信接続と前記第２の通信方式を使用する第２の通信接続とが確立された状態で前記第１の通信方式の通信経路を変更する場合、所定の要求を前記第２の通信接続を介して前記外部装置に送信するよう前記第２の通信手段を制御し、前記第１の通信方式の通信経路が変更された前記外部装置との第３の通信接続を確立するよう制御する制御手段と、を有する。